(57)【要約】【課題】  生後間もない乳児の段階から大人の段階に至るまでの各段階で最適な形態で使用することのできるベッドを提供する。【解決手段】  ベッド１は、矩形の床板２と、この矩形床板２の周囲を取り囲む囲い枠とを備えたベビーベッドのフレームを利用して、揺動式ベビーベッドの形態と、固定式ベビーベッドの形態と、大型ベッドの形態とに切換え可能である。揺動式ベビーベッドの形態では、乳幼児は、矩形床板２の上方に位置する空間で揺動可能に支えられている。第１連結部材１０７は、寝床部材１０６の一方側端部と頭部枠３の上方端とを面状に連結し、寝床部材１０６の一方側端部を矩形床板２から浮かせた状態で保持する。第２連結部材１０８は、寝床部材１０６の他方側端部と足部枠４の上方端とを面状に連結し、寝床部材１０６の他方側端部を矩形床板２から浮かせた状態で保持する。固定式ベビーベッドの形態では、寝床部材１０６が取り外され、乳幼児は矩形床板２上に寝かされる。大型ベッドの形態では、より低い位置で、かつより大きなベッド面積の床板上で人を寝かせる。【選択図】      図１
2006034620.tif 000002
【特許請求の範囲】
【請求項１】
矩形の床板と、この床板の周囲を取り囲む囲い枠とを備えたベビーベッドのフレームを利用して、
前記矩形床板の上方に位置する空間で乳幼児を揺動可能に支える揺動式ベビーベッドの形態と、
前記囲い枠で取り囲まれて所定の高さに位置する前記矩形床板上に乳幼児を寝かせる固定式ベビーベッドの形態と、
前記固定式ベビーベッドにおける前記矩形床板に比べて、より低い位置で、かつより大きなベッド面積の床板上で人を寝かせる大型ベッドの形態とに切換え可能であることを特徴とする、ベッド。
【請求項２】
前記固定式ベビーベッドの形態において、前記矩形床板は高さ調節可能に設けられている、請求項１に記載のベッド。
【請求項３】
前記大型ベッドの形態は、ベッド面積が相対的に小さいジュニア用ベッドの形態と、ベッド面積が相対的に大きい大人用ベッドの形態とに切換え可能である、請求項１または２に記載のベッド。
【請求項４】
前記大型ベッドの形態における床板は、前記囲い枠の一部を利用して形成されている、請求項１〜３のいずれかに記載のベッド。
【請求項５】
前記揺動式ベビーベッドの形態におけるベッドは、
一方側端部と他方側端部とを有する矩形の寝床部材と、
前記寝床部材の一方側端部と、前記囲い枠の一方側フレームの上方端とを面状に連結し、前記寝床部材の一方側端部を前記矩形床板から浮かせた状態で保持する第１連結部材と、
前記寝床部材の他方側端部と、前記囲い枠の他方側フレームの上方端とを面状に連結し、前記寝床部材の他方側端部を前記矩形床板から浮かせた状態で保持する第２連結部材とを備える、請求項１〜４のいずれかに記載のベッド。
【請求項６】
前記第１連結部材および前記第２連結部材は、布である、請求項５に記載のベッド。
【請求項７】
前記布は、前記固定式ベビーベッドの形態または前記大型ベッドの形態において、折畳んだ状態でベッドのフレームに取付けられる、請求項６に記載のベッド。
【請求項８】
前記揺動式ベビーベッドの形態におけるベッドは、前記第１連結部材および前記第２連結部材の少なくともいずれか一方の吊下げ長さを調節するための長さ調節手段を備える、請求項５〜７のいずれかに記載のベッド。
【発明の詳細な説明】
【技術分野】
【０００１】
この発明は、ベッドに関し、特にベビーベッドとして適した形態と、大人用ベッドとして適した形態とに切換え可能なベッドに関するものである。
【背景技術】
【０００２】
通常、乳児は誕生してからほぼ１歳を経過するまで、周囲四方を囲んだ形態のベビーベッド上に寝かされる。乳児の成長に伴い、このベビーベッドは不要なものとなる。
【０００３】
ベビーベッドそのものは乳児を寝かせるだけのものであるため、比較的傷つくことが少なく、十分再利用が可能である。ベビーベッドを使用した乳児が、成長後も引き続いてこのベッドを利用することができれば、物を大切にしようとする気持ちを持たせることができる。また、形を変えたベビーベッドを成長後も継続して使用することにより、乳児の時代に親から受けた愛情の記憶を長期に亘って持続させることができ、あたたかい心を育むことができるようになる。
【０００４】
この種のベビーベッドは、例えば、特開２００４−４１６２９号公報（特許文献１）に開示されている。この公報に開示されたベビーベッドでは、ベッド床フレームの長さが調節可能に設けられている。乳児のときにはベッド床フレームの長さを短くし、子供が成長したときにはベッド床フレームの長さを長くする。
【０００５】
実開昭６３−２０２３５３号公報（特許文献２）に開示されたベビーベッドでは、生後間もない乳児を安眠させるために、ベビーベッドの頭部枠上部および足部枠上部から紐を介して布などからなる寝床部材を吊下げている。寝床部材は、床板の上部で揺動可能である。
【０００６】
実開平２−２８６５３号公報（特許文献３）に開示されたベビーベッドにおいても、ベビーベッドの頭部枠上部および足部枠上部から４本のコイルばねを介して寝床部材を揺動可能に吊下げている。
【特許文献１】特開２００４−４１６２９号公報
【特許文献２】実開昭６３−２０２３５３号公報
【特許文献３】実開平２−２８６５３号公報
【発明の開示】
【発明が解決しようとする課題】
【０００７】
特開２００４−４１６２９号公報に開示されたベビーベッドの場合、ベッド床フレームの長さを長くすることにより、大人用ベッドとして使用することを可能にしている。しかしながら、ベビーベッドとしての形態と大人用ベッドとしての形態とを比較したとき、ベッドの幅寸法は同じである。そのため、大人がこのベッドを大人用ベッドの形態で使用するとき、幅が窮屈なものとなる。
【０００８】
実開昭６３−２０２３５３号公報や実開平２−２８６５３号公報に開示されたような揺動式ベッドの場合、寝床部材が、頭部枠および足部枠から下方に延ばされた紐やコイルばねによって支持されている。紐やコイルばねで寝床部材を支持する構造では、寝床部材の揺動の方向が定まらず、安定した揺れの動きを発揮できない。
【０００９】
本発明の目的は、生後間もない乳児の段階から大人の段階に至るまでの各段階で最適な形態で使用することのできるベッドを提供することである。
【課題を解決するための手段】
【００１０】
この発明に従ったベッドは、矩形の床板と、この床板の周囲を取り囲む囲い枠とを備えたベビーベッドのフレームを利用して、矩形床板の上方に位置する空間で乳幼児を揺動可能に支える揺動式ベビーベッドの形態と、囲い枠で取り囲まれて所定の高さに位置する矩形床板上に乳幼児を寝かせる固定式ベビーベッドの形態と、固定式ベビーベッドにおける矩形床板に比べて、より低い位置で、かつより大きなベッド面積の床板上で人を寝かせる大型ベッドの形態とに切換え可能であることを特徴とする。
【００１１】
生後間もない乳児の場合には、揺動式ベッドの形態で使用する。成長後の次の段階では、固定式ベッドの形態で使用する。さらに成長して学童や大人になった段階では、より低い位置でより大きなベッド面積となる大型ベッドの形態で使用する。
【００１２】
好ましくは、固定式ベビーベッドの形態において、矩形床板は高さ調節可能に設けられている。幼い乳幼児に対しては、世話のし易さ、脱落の危険性が少ないこと等の理由で矩形床板を高い位置で固定する。乳幼児が成長して大きくなったときには活発に動くようになるので、脱落防止の観点から矩形床板を低い位置で固定する。
【００１３】
好ましくは、大型ベッドの形態は、ベッド面積が相対的に小さいジュニア用ベッドの形態と、ベッド面積が相対的に大きい大人用ベッドの形態とに切換え可能である。このようにすれば、学童段階および大人の段階でより適した大きさのベッドの形態を提供できる。
【００１４】
好ましくは、大型ベッドの形態における床板は、囲い枠の一部を利用して形成されている。ベビーベッドにおける囲い枠の高さは、一般的には、ベッド床の幅寸法よりも大きい。従って、囲い枠の一部を大型ベッドの床板として使用すれば、十分なベッド幅寸法となる。
【００１５】
好ましくは、揺動式ベビーベッドの形態におけるベッドは、一方側端部と他方側端部とを有する矩形の寝床部材と、第１連結部材と、第２連結部材とを備える。第１連結部材は、寝床部材の一方側端部と、囲い枠の一方側フレームの上方端とを面状に連結し、寝床部材の一方側端部を矩形床板から浮かせた状態で保持する。第２連結部材は、寝床部材の他方側端部と、囲い枠の他方側フレームの上方端とを面状に連結し、寝床部材の他方側端部を矩形床板から浮かせた状態で保持する。このような構成にすれば、第１連結部材および第２連結部材が、寝床部材の一方側端部および他方側端部と、囲い枠とを面状に連結するものであるので、寝床部材の揺動の方向が定まり、安定した揺動運動を行わせることができる。
【００１６】
好ましくは、第１連結部材および前記第２連結部材は、布である。さらに好ましくは、静止状態において、第１連結部材および第２連結部材は、鉛直線方向に延在する。このような構成であれば、寝床部材は、水平状態を維持したまま平行に揺動運動を行う。
【００１７】
好ましくは、第１連結部材および第２連結部材を構成する布は、固定式ベビーベッドの形態または大型ベッドの形態において、折畳んだ状態でベッドのフレームに取付けられる。布は、揺動式ベビーベッドの形態において乳児を支えていたものである。布に支えられたこの時期の乳児に対して、母親や父親は深い愛情を注ぐ。乳児が成長して幼児、学童、大人になったときに、乳児の段階において自らを支えていた布を目にすれば、乳児期に注がれた親の深い愛情の記憶が蘇り、あたたかい心をもてるようになる。
【００１８】
揺動式ベビーベッドの形態におけるベッドは、第１連結部材および前記第２連結部材の少なくともいずれか一方の吊下げ長さを調節するための長さ調節手段を備える。長さ調節手段を備えることにより、寝床部材は、揺動可能状態、水平固定状態、傾斜固定状態の３状態を選択的に取ることが可能となる。例えば、乳児を静かに寝かせるときには寝床部材を水平固定状態にし、乳児をあやすときには寝床部材を揺動可能状態にする。また、授乳後にげっぷをさせようとするときには、頭を僅かに高くする傾斜固定状態にする。
【発明を実施するための最良の形態】
【００１９】
まず、図１〜図６を参照して、この発明の基本的な構成を説明し、その後で図７〜図１９を参照して具体的な構成を説明する。これらの図において、同一の参照番号は、同一または相当の要素を示すものである。
【００２０】
この発明に従ったベッド１は、矩形の床板２と、この矩形床板２の周囲を取り囲む囲い枠とを備えたベビーベッドのフレームを利用して、揺動式ベビーベッドの形態（図１）と、固定式ベビーベッドの形態（図３および図４）と、大型ベッドの形態（図５および図６）とに切換え可能である。図１〜図４では、囲い枠のうち、頭側に位置する頭部枠３と、足側に位置する足部枠４とが図示されている。
【００２１】
図１〜図４に示すベビーベッドの形態では、矩形床板２は、囲い枠（例えば、頭部枠３および足部枠４）に支えられて所定の高さに位置する。好ましくは、矩形床板２は、高さ調節可能に設けられる。
【００２２】
図１に示す揺動式ベビーベッドの形態では、乳幼児は、矩形床板２の上方に位置する空間で揺動可能に支えられている。すなわち、ベッド１は、一方側端部と他方側端部とを有する矩形の寝床部材１０６と、第１連結部材１０７と、第２連結部材１０８とを備える。第１連結部材１０７は、寝床部材１０６の一方側端部と頭部枠３の上方端とを面状に連結し、寝床部材１０６の一方側端部を矩形床板２から浮かせた状態で保持する。第２連結部材１０８は、寝床部材１０６の他方側端部と足部枠４の上方端とを面状に連結し、寝床部材１０６の他方側端部を矩形床板２から浮かせた状態で保持する。
【００２３】
生後間もない乳児に対して、図１に示す揺動式ベビーベッドの形態が適用される。なお、図１に示す揺動式ベビーベッドの形態において、寝床部材１０６の長さＬ１  は矩形床板２の長さＬ２  よりも短い。矩形床板の高さはＨ１  である。
【００２４】
第１連結部材１０７および第２連結部材１０８の少なくともいずれか一方の吊下げ長さを調節可能としている。従って、図２に示すように、例えば、第２連結部材１０８の吊下げ長さを長くして、寝床部材１０６の他方側端部を矩形床板２に接触させれば、寝床部材１０６は頭側を僅かに高くした傾斜状態で固定される。例えば、授乳後にこの状態とする。第１連結部材１０７および第２連結部材１０８は、好ましくは、布である。
【００２５】
図３および図４は、固定式ベビーベッドの形態を示している。乳児が成長して揺動させることが不要になったときに、寝床部材１０６、第１連結部材１０７および第２連結部材１０８を囲い枠から取り外してこの状態にする。乳幼児の動きが活発でない時期には、図３に示すように矩形床板２を相対的に高い位置（Ｈ１  ）にし、乳幼児の動きが活発になってきた時期には、図４に示すように矩形床板２を相対的に低い位置（Ｈ２  ）にする。取り外した布製の第１連結部材１０７および第２連結部材１０８は小さく折畳み、例えば偏平な袋やケースに入れて頭部枠３に取付けておく。
【００２６】
図５および図６は、大型ベッドの形態を示している。この状態では、ベビーベッドの形態となっていた囲い枠を展開し、これらの囲い枠の一部を利用して大型ベッドとしての床板Ａ、頭部枠Ｂおよび足部枠Ｃを形成している。図５は、ジュニア用として適した大きさとなるように、床板Ａの頭部側端部および足部側端部上にスペース部材Ｄ，Ｅを置いている。スペース部材Ｄ，Ｅは、例えば、マットレスや物品収納ボックスである。図６に示す大人用ベッドの形態では、スペース部材を取り除いている。従って、図５に示すジュニア用ベッドの形態では、ベッド面の長さＬ３  は、図６に示す大人用ベッドの形態におけるベッド面の長さＬ４  よりも短くなっている。また、図５および図６に示す大型ベッドの形態における床板Ａの高さＨ３  は、ベビーベッドの形態における矩形床板２の高さＨ１  またはＨ２  よりも低い。この大型ベッドの形態においても、取り外した布製の第１連結部材１０７および第２連結部材１０８を小さく折畳み、例えば偏平な袋やケースに入れて頭部枠Ｂに取付けておく。
【００２７】
次に、図７〜図１９を参照してベッドの具体的な構成を説明する。
【００２８】
本発明の実施形態に係るベッドは、ベビーベッドのフレームを利用して、揺動式ベビーベッドの形態と、固定式ベビーベッドの形態と、大型ベッドの形態とに切換え可能であるが、便宜上、図７〜図１１では揺動式ベビーベッドに関連する構造の図示を省略し、図１２〜図１９では大型ベッドに関連する構造の図示を省略している。
【００２９】
図７は、ベビーベッドとして適した形態になっているベッド１を示し、図９および図１０は、大人用ベッドとして適した形態になっているベッド１を示している。本明細書中において使用する「大人」という用語は、必ずしも成人した大人だけを意味するのではなく、小学生、中学生、高校生のような子供も包含するものであると理解しなければならない。
【００３０】
図７を参照して、ベッド１の基本的な構成を説明する。ベビーベッドの形態になっているベッド１は、矩形の床板２と、この床板２の周囲四方を取り囲む囲い枠とを備える。囲い枠は、通常、格子形状のものであるが、図では便宜上、単純な平板形状として示している。
【００３１】
囲い枠は、床板２上に寝かされる乳幼児の頭側に位置する頭部枠３と、足側に位置する足部枠４と、左手側に位置する左側部枠５と、右手側に位置する右側部枠（図示省略）とを備える。図示していない右側部枠は、例えば、上下にスライド可能または取り外し可能に設けられている。ベビーベッドの底部の４つのコーナー部には、移動のためのキャスタ１１が取り付けられている。このキャスタ１１は、取り外し可能に設けられており、大人用ベッドの形態にする際、取り外される。
【００３２】
床板２は、その頭側端部および足側端部に、下方に張出した脚部２ａを有している。床板２の高さ調節を可能にするために、頭部枠３および足部枠４は、それぞれ上下に間隔をあけて設けられた複数の穴９を有している。図示した状態では、最も上に位置する穴に嵌められた４個のねじ８（頭部枠３上に２個、足部枠４上に２個）によって、床板２の高さを固定している。生まれて間もない乳児に対しては、世話のし易さ、脱落の危険性が少ないこと等の理由で床板２を高い位置で固定する。乳児が成長して大きくなったときには活発に動くようになるので、脱落防止の観点から床板２を低い位置で固定する。
【００３３】
乳幼児が成長してベビーベッドとしての使用が不要になったとき、図７に示すように右側部枠を取り外せば子供の学習机としての利用が可能になる。
【００３４】
頭部枠３は、左側部枠５にヒンジ（図示省略）を介して回動可能に連結された内側頭部枠３ａと、この内側頭部枠３ａにヒンジ(図示省略）を介して回動可能に連結された外側頭部枠３ｂとを含む。足部枠４は、左側部枠５にヒンジ（図示省略）を介して回動可能に連結された内側足部枠４ａと、この内側足部枠４ａにヒンジ１０を介して回動可能に連結された外側足部枠４ｂとを含む。このように各枠をヒンジを介して回動可能に接続することにより、形態の変更および折り畳みを容易に行なうことが可能になる。
【００３５】
図示するように、外側頭部枠３ｂの上下の端面に、１対の頭部張出部材６が固定して取り付けられている。この１対の頭部張出部材６は、内側頭部枠３ａの上下端面上にまで張出して延びている。また、各側部張出部材６は、ねじ８を受け入れるための穴６ａを有している。
【００３６】
外側足部枠４ｂの上下の端面にも、１対の足部張出部材７が固定して取り付けられている。この１対の足部張出部材７は、内側足部枠４ａの上下端面上にまで張出して延びている。また、各足部張出部材７は、ねじ８を受けれるための穴７ａを有している。
【００３７】
図８は、外側頭部枠３ｂと内側頭部枠３ａとが屈曲した状態、および外側足部枠４ｂと内側足部枠４ａとが屈曲した状態を示している。内側頭部枠３ａおよび内側足部枠４ａは、それぞれ、左側部枠５に対して同平面に延在する状態（図１０参照）から内側に屈曲して重なり合う状態（図１１参照）になるまで回動可能である。また、外側頭部枠３ｂおよび外側足部枠４ｂは、それぞれ、内側頭部枠３ａおよび内側足部枠４ａに対して同平面に延在する状態（図７参照）から外側に屈曲して重なり合う状態（図１１参照）になるまで回動可能である。
【００３８】
図７に示すベビーベッドの形態では、ねじ８によって頭部枠３および足部枠４を床板２に固定しているので、頭部枠３、足部枠４、左側部枠５および右側部枠（図示省略）からなる囲い枠の形状が固定される。
【００３９】
図７に示すベビーベッドの形態から図９および図１０に示す大人用ベッドの形態に変更しようとするときには、４個のねじ８を取り外し、床板２および右側部枠（図示省略）を分離する。また、４個のキャスタ１１も取り外す。この状態が図８に示す状態である。
【００４０】
図８に示す状態から、左側部枠５の内側の面が床面に対面するようにし、内側頭部枠３ａおよび内側足部枠４ａを左側部枠５と同平面に延在するようにする。図９および図１０に示すように、内側頭部枠３ａおよび内側足部枠４ａは、それぞれ、左側部枠５と同平面に延在している状態では、左側部枠５の両端面にほぼ隙間なく突き当たって当接しているので、平面状態を越えて屈曲するようなことはない。
【００４１】
図９および図１０に示すように、外側頭部枠３ｂおよび外側足部枠４ｂは、それぞれ、内側頭部枠３ａおよび内側足部枠４ａに対して９０度に屈曲した位置関係とされる。この屈曲状態は、床板２を固定するのに使用されていた４個のねじ８を頭部張出部材６の穴６ａおよび足部張出部材７の穴７ａ内に嵌め入れることによって固定される。具体的には、外側頭部枠３ｂに固定されている１対の頭部張出部材６と内側頭部枠３ａとを２個のねじ８によって固定し、外側足部枠４ｂに固定されている１対の足部張出部材７と内側足部枠４ａとを２個のねじ８によって固定する。
【００４２】
図９および図１０に示すように、大人用ベッドの形態では、１対の頭部張出部材６および１対の足部張出部材７が大人用ベッドの床板を床面から浮かせた状態で支持するための脚部となる。大人用ベッドの床板は、左側部枠５、内側頭部枠３ａおよび内側足部枠４ａによって形成される。また、外側頭部枠３ｂおよび外側足部枠４ｂは、それぞれ、頭側の枠部材および足側の枠部材となる。ベビーベッドの形態で使用されていた床板２は、大人用ベッドの形態のとき、水平に延在する大人用ベッドの床板を下から支えて、床板の水平状態を安定に保つのに利用される。床板２の脚部２ａは、このような機能を発揮できるような長さとされている。
【００４３】
図１１は、運搬時または倉庫収納時の折り畳み状態のベッドを示している。図示するように、内側頭部枠３ａは左側部枠５上に重なり合うようにされ、外側頭部枠３ｂは内側頭部枠３ａ上に重なり合うようにされる。同様に、内側足部枠４ａは左側部枠５上に重なり合うようにされ、外側足部枠４ｂは内側足部枠４ａ上に重なり合うようにされる。また、この折り畳み構造上に、床板２および右側部枠（図示省略）が重なるように置かれる。このように折り畳まれたベッドの嵩張りは、比較的小さいので、運搬および倉庫収納時のスペースの有効利用を図れる。
【００４４】
この発明は、ベビーベッドそのものの構造にも焦点を当てている。すなわち、図７、図８および図１１に示すように、この発明に従ったベビーベッド１は、矩形の床板２と、この床板２の周囲を取り囲む囲い枠とを備える。囲い枠は、頭側に位置する頭部枠３と、足側に位置する足部枠４と、側面側に位置する側部枠５とを含む。頭部枠３は、側部枠５にヒンジを介して回動可能に連結された内側頭部枠３ａと、内側頭部枠３ａにヒンジを介して回動可能に連結された外側頭部枠３ｂとを含む。足部枠４は、側部枠５にヒンジを介して回動可能に連結された内側足部枠４ａと、内側足部枠４ａにヒンジを介して回動可能に連結された外側足部枠４ｂとを含む。このような構成のベビーベッドによれば、折畳み状態への移行操作を簡単に行なうことができ、さらに折畳み状態の嵩張りを小さくすることができる。
【００４５】
なお、本明細書中に現れる「頭部」、「足部」、「右」および「左」という用語は、相対的な位置関係を示すために便宜的に使用したものである。
【００４６】
図１２〜図１９に示す揺動式ベビーベッドに関連する構造は、図７〜図１１に示したベッドに適用されるものである。
【００４７】
図１２〜図１５は、揺動式ベビーベッドの一形態を示している。ベビーベッド１は、所定の高さに位置する矩形のベース壁（床板）２と、このベース壁２の周囲を取り囲む囲い枠とを備える。囲い枠は、ベース壁２上に寝かされる乳児の頭側に位置する頭部枠３と、足側に位置する足部枠４と、側面側に位置する１対の側部枠５とを備える。
【００４８】
図１２では、囲い枠を想像線で示し、また揺動構造を図解的に示している。まず、この図１２を参照して、揺動構造の基本的構成を説明する。
【００４９】
ベビーベッド１は、必要に応じてベース壁２の上に配置される矩形の寝床部材１０６と、寝床部材１０６の頭側端部の上方に位置し、この頭側端部に対してほぼ平行に延びる第１支持枠１０９と、寝床部材１０６の足側端部の上方に位置し、この足側端部に対してほぼ平行に延びる第２支持枠１１０と、寝床部材１０６の頭側端部と第１支持枠１０９とを面状に連結し、寝床部材１０６の頭側端部を浮かせた状態で保持する第１連結部材１０７と、寝床部材１０６の足側端部と第２支持枠１１０とを面状に連結し、寝床部材１０６の足側端部を浮かせた状態で保持する第２連結部材１０８とを備える。
【００５０】
第１連結部材１０７および第２連結部材１０８は、好ましくは、布で作られる。また、寝床部材１０６は、平らな形態を安定して維持できるような構造とされている。
【００５１】
図１３は、第１支持枠１０９および第２支持枠１１０をより具体的に示している。図示するように、第１支持枠１０９は、頭部枠３の上端部に着脱可能に取付けられており、頭部枠３の前後に張り出した形状を有している。同様に、第２支持枠１１０も、足部枠４の上端部に着脱可能に取付けられており、足部枠４の前後に張り出した形状を有している。
【００５２】
ベビーベッド１の幅方向に面状に広がった布製の第１連結部材１０７の先端は、第１支持枠１０９の上面を通った後に、第１巻芯１１１に巻かれて固定されている。第１巻芯１１１は、適当な手段によって、第１支持枠１０９に固定される。同様に、ベビーベッド１の幅方向に面状に広がった第２連結部材１０８の先端は、第２支持枠１１０の上面を通った後に、第２巻芯１１２に巻かれて固定される。第１巻芯１１１による巻き長さを調節することにより、第１連結部材１０７の吊下げ長さを調節できる。同様に、第２巻芯１１２による巻き長さを調節することにより、第２連結部材１０８の吊下げ長さを調節できる。第１および第２連結部材の吊下げ長さを調節する手段としては、他に種々の形態のものが考えられる。
【００５３】
好ましくは、第１連結部材１０７および第２連結部材１０８は、鉛直線方向に延在するようにされる。このことを実現するために、第１支持枠１０９と第２支持枠１１０との間隔を、寝床部材１０６の長さとほぼ同じにする。このような寸法関係であれば、図１３において想像線で示すように、寝床部材１０６は、水平状態を維持しながら平行に揺動運動を行う。
【００５４】
ベビーベッド１は、第１連結部材１０７および第２連結部材１０８の吊下げ長さを調節することによって、図１３に示す揺動可能状態と、図１４に示す水平固定状態と、図１５に示す傾斜状態の３状態を選択的に取ることが可能である。
【００５５】
図１３に示す状態では、第１連結部材１０７および第２連結部材１０８の両者の吊下げ長さを短くして、寝床部材１０６をベース壁２から上方に離している。従って、寝床部材１０６を前後に揺動させることが可能である。第１連結部材１０７および第２連結部材１０８は、寝床部材１０６のほぼ全幅に亘って面状に寝床部材１０６を吊下げているので、寝床部材１０６の揺動の方向が定まり、安定した揺動運動を実現できる。乳児をあやすときには、この揺動可能状態とする。
【００５６】
図１４に示す状態では、第１連結部材１０７および第２連結部材１０８の両者の吊下げ長さを長くして、寝床部材１０６の頭側端部および足側端部の両者をベース壁２に当接させている。従って、寝床部材１０６の揺動は禁止され、水平に固定した状態となる。乳児を静かに寝かせようとするときには、この水平固定状態とする。
【００５７】
図１５に示す状態では、第１連結部材１０７の吊下げ長さを短くして、寝床部材１０６の頭側端部をベース壁２から上方に離す。寝床部材１０６の足側端部はベース壁２に当接している。この傾斜状態は、例えば、授乳後の乳児に適用される。乳児の頭が僅かに上方に持上げられるので、乳児はげっぷを出しやすくなる。
【００５８】
図１２〜図１５に示した実施形態では、寝床部材１０６と１対の側部枠５との間に隙間が形成されている。安全性を考慮して、この隙間を覆うような覆い部材を、寝床部材１０６と１対の側部枠５との間に設けるようにしてもよい。
【００５９】
図１６〜図１９は、第１連結部材１０７の長さを調節するための手段の他の例を示している。図示していないが、第２連結部材に対しても、同様の長さ調節手段を設ける。なお、これらの図において、前述の実施形態と同一または相当の要素に対して同一の参照番号を付している。
【００６０】
図１６および図１７に示すように、頭部枠３の上端部に、第１支持枠１２０が着脱可能に取付けられている。具体的には、頭部枠３の前後に張り出した形態を有する第１支持枠１２０は、１対の垂下壁１２０ａ，１２０ｂを有している。これらの垂下壁１２０ａ，１２０ｂによって頭部枠３の上端部にある肉厚部１０３ａを挟む。一方の垂下壁１２０ａに取付けられたねじ１２６は、頭部枠３の肉厚部１０３ａに係合し、この係合によって第１支持枠１２０が頭部枠３から外れないようにしている。
【００６１】
第１連結部材１０７に対する長さ調節手段は、第１支持枠１２０の上面上に位置変更可能に設けられた調節プレート１２３を含む。図１８は、調節プレート１２３を単独で示している。調節プレート１２３は、ベビーベッドの幅方向に延びており、その両端部分に、球状のつまみ１２５と、係合穴１２４とを有している。係合穴１２４は、丸穴１２４ａと、この丸穴１２４ａに連なって前方外側に延びる細溝１２４ｂとを有する。第１連結部材１０７の先端部分は、調節プレート１２３に連結される。
【００６２】
第１支持枠１２０の上面には、外側係合突起１２１と内側係合突起１２２とが前後に間隔をあけて設けられている。図１６に示す状態では、調節プレート１２３の係合穴１２４の細溝１２４ｂが内側係合突起１２２に係合している。調節プレート１２３を取り外す場合には、係合穴１２４の丸穴１２４ａと内側係合突起１２２とを同じ位置にし、調節プレート１２３を脱離可能にする。
【００６３】
第１連結部材１０７の吊下げ長さを短くしようとするときには、つまみ１２５を手で持って調節プレート１２３を前方の位置に動かし、係合穴１２４と外側係合突起１２１とを係合させる。
【００６４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変更を加えることが可能である。
【産業上の利用可能性】
【００６５】
この発明は、ベビーベッドと大人用ベッドとを兼用できるベッドに有利に適用され得る。
【図面の簡単な説明】
【００６６】
【図１】揺動式ベビーベッドの形態になっているベッドを示す図解図である。
【図２】寝床部材の頭側端部が僅かに高くされた状態を示す図解図である。
【図３】固定式ベビーベッドの形態になっているベッドを示す図解図である。
【図４】図３に示す状態から、矩形床板の高さを低くした状態を示す図解図である。
【図５】ジュニア用ベッドの形態になっているベッドを示す図解図である。
【図６】大人用ベッドの形態になっているベッドを示す図解図である。
【図７】ベビーベッドの形態となっているベッドの一実施形態を示す斜視図である。
【図８】大人用ベッドの形態に移行する途中段階の形態を示す斜視図である。
【図９】大人用ベッドの形態となっているベッドの一実施形態を示す斜視図である。
【図１０】大人用ベッドの形態となっているベッドの一実施形態を示す側面図である。
【図１１】折り畳み状態のベッドの一実施形態を示す側面図である。
【図１２】揺動式ベビーベッドの形態を図解的に示す斜視図である。
【図１３】揺動式ベビーベッドの断面図である。
【図１４】寝床部材が固定されている状態を示す断面図である。
【図１５】寝床部材が傾斜している状態を示す断面図である。
【図１６】第１連結部材の長さを調節するための手段の一例を示す平面図である。
【図１７】図１６の線Ａ−Ａに沿って見た断面図である。
【図１８】調節プレートの平面図である。
【図１９】第１連結部材の吊下げ長さを短くした状態に対応する長さ調節手段の平面図である。
【符号の説明】
【００６７】
１  ベッド、２  床板（ベース壁）、２ａ  脚部、３  頭部枠、３ａ  内側頭部枠、３ｂ  外側頭部枠、４  足部枠、４ａ  内側足部枠、４ｂ  外側足部枠、５  左側部枠、６  頭部張出部材、６ａ  穴、７  足部張出部材、７ａ  穴、８  ねじ、９  穴、１０  ヒンジ、１１  キャスタ、２０  ベッド、２１  床板、２２  頭部枠、２２ａ  内側頭部枠、２２ｂ  外側頭部枠、２３  右側部枠、２４  足部枠、２４ａ  屈曲壁、２５  ヒンジ、２６  ねじ、１０６  寝床部材、１０７  第１連結部材、１０８  第２連結部材、１０９  第１支持枠、１１０  第２支持枠、１１１  第１巻芯、１１２  第２巻芯、１２０  第１支持枠、１２０ａ，１２０ｂ  垂下壁、１２１  外側係合突起、１２２  内側係合突起、１２３  調節プレート、１２４  係合穴、１２４ａ  丸穴、１２４ｂ  細溝、１２５  つまみ。
【図１】
2006034620.tif 000003
【図２】
2006034620.tif 000004
【図３】
2006034620.tif 000005
【図４】
2006034620.tif 000006
【図５】
2006034620.tif 000007
【図６】
2006034620.tif 000008
【図７】
2006034620.tif 000009
【図８】
2006034620.tif 000010
【図９】
2006034620.tif 000011
【図１０】
2006034620.tif 000012
【図１１】
2006034620.tif 000013
【図１２】
2006034620.tif 000014
【図１３】
2006034620.tif 000015
【図１４】
2006034620.tif 000016
【図１５】
2006034620.tif 000017
【図１６】
2006034620.tif 000018
【図１７】
2006034620.tif 000019
【図１８】
2006034620.tif 000020
【図１９】
2006034620.tif 000021